(57)【要約】  本発明は、区画室１内に配置され、且つ、接点タペット１７と、絶縁体１８と、金属ベローズ１０によって区画室１内へ導入される駆動ロッドまたは切換ロッド１１とを含む互いに移動できる要素が設けられた移動切換ユニットを備えるバキュームスイッチに関する。バキュームスイッチは、区画室１のハウジング内へ挿入される固定接点も備える。絶縁体１８の上端は接点タペット１７に対して固定され、絶縁体１８の下端は駆動ロッドまたは切換ロッド１１に対して固定される。接点タペット１７は、可撓性導電接続部２０によって導体８に対して接続され、導体は、側部に配置される出力接点６に対して導電接続される。固定接点１６および接点タペット１７はそれぞれ、外側切換接触面２９と、この外側切換接触面に対して移動できる内側切換接触面３０とを備える切換接点部品１４ａ，１４ｂを備える。【選択図】  図３
2010503161.tif 000002
【特許請求の範囲】
【請求項１】
真空遮断チャンバ（１）内に配置され、且つ、互いに移動する接点プランジャ（１７）と絶縁体（１８）と駆動ロッドまたは切換ロッド（１１）とを備えるとともに、前記駆動ロッドまたは切換ロッド（１１）が金属から構成されるベローズ（１０）を貫通して前記真空遮断チャンバ（１）内へと導入される移動切換ユニットを有し、また、前記真空遮断チャンバ（１）のハウジング内に挿入される固定接点（１６）を有する、中電圧用および高電圧用のバキュームスイッチ、特に真空遮断器であって、前記絶縁体（１８）の上端が前記接点プランジャ（１７）に強固に接続され、前記絶縁体（１８）の下端が前記駆動ロッドまたは切換ロッド（１１）に強固に接続され、前記接点プランジャ（１７）が、側部に配置される少なくとも１つのアウトゴア接点（６）への導電接続を形成する導体（８）に対する可撓性導電接続部（２０）を有するバキュームスイッチにおいて、
前記固定接点（１６）および前記接点プランジャ（１７）がそれぞれ、外側切換接触面（２９）および前記外側切換接触面に対して移動できる内側切換接触面（３０）を有する切換接点部品（１４ａ，１４ｂ）を有することを特徴とする、バキュームスイッチ。
【請求項２】
前記内側切換接触面（３０）が、少なくとも１つのスプリング（３３）の力によって駆動されて、前記外側切換接触面（２９）に対して引き上げられる進出位置へと移動され得ることを特徴とする、請求項１に記載のバキュームスイッチ。
【請求項３】
前記内側切換接触面（３０）が、少なくとも１つのスプリング（３３）の力に抗して駆動されて、前記進出位置から前記外側切換接触面（２９）と同じ高さの位置へと移動され得ることを特徴とする、請求項１または２に記載のバキュームスイッチ。
【請求項４】
前記進出位置が、該進出位置に達し、且つ、前記内側切換接触面（３０）が互いに当接しているときに、発生する任意のアークが前記外側切換接触面（２９）の上へと飛び越えるのを防止する距離だけ前記外側切換接触面（２９）同士が離間されるように設定されることを特徴とする、請求項１〜３のいずれか一項に記載のバキュームスイッチ。
【請求項５】
前記内側切換接触面（３０）が、好ましくは内側プランジャ（３４）の互いに対して螺旋状に配置される導電支持ヘッド（３２）上に配置されることを特徴とする、請求項１〜４のいずれか一項に記載のバキュームスイッチ。
【請求項６】
少なくとも１つのスプリング（３３）が、一端で、前記内側プランジャ（３４）のストッパまたは支持リング（３５）に作用するとともに、他端で、前記上側切換接点部品または下側切換接点部品（１４ａ，１４ｂ）のマウント本体（３１）に形成されるベース面（３６）に作用することを特徴とする、請求項１〜５のいずれか一項に記載のバキュームスイッチ。
【請求項７】
前記外側切換接触面（２９）が、導電性の高い材料、特に銅−銀合金の層から構成され、前記内側切換接触面（３０）が、摩耗および腐食に耐性がある高強度材料、特に銅−クロム合金の層から構成されることを特徴とする、請求項１〜６のいずれか一項に記載のバキュームスイッチ。
【発明の詳細な説明】
【技術分野】
【０００１】
本発明は、真空遮断チャンバ内に配置され且つ互いに移動する接点プランジャと絶縁体と駆動ロッドまたは切換ロッドとを備えるとともに、駆動ロッドまたは切換ロッドが金属から構成されるベローズを貫通して真空遮断チャンバ内へと導入される移動切換ユニットを有し、また、真空遮断チャンバのハウジング内に挿入される固定接点を有する、中電圧用および高電圧用のバキュームスイッチ、特に真空遮断器であって、絶縁体の上端が接点プランジャに対して強固に接続され、絶縁体の下端が駆動ロッドまたは切換ロッドに対して強固に接続され、接点プランジャが、側部に配置される少なくとも１つのアウトゴア接点への導電接続を行なう導体に対する導電接続部を有するバキュームスイッチに関する。
【背景技術】
【０００２】
回路遮断器は、最大１６０ｋＡまで電流を切り換えることができる能力を伴って、既存の電気的接続を切断できる能力を与える。一例として、これらの電流は、高電圧電源システムで短絡または接地不良が起こるときに生じる。回路遮断器は、スイッチ切断器と同じ方法で通常の動作電流と軽微な過負荷電流とを切り換えることができるだけでなく、高い過負荷電流と極めて高い短絡電流とを切断することもできる。８０ｋＡ〜１６０ｋＡの範囲の非常に高い切り換え能力を有する過電流保護装置のように、それらの回路遮断器は、機器または設置部品を、正常状態と、例えば短絡の場合には限られた時間にわたって欠陥状態のいずれにも切り換えることができる。回路遮断器タイプは、圧縮ガススイッチおよびフロースイッチだけでなく、バキュームスイッチも含んでいる。バキュームスイッチでは、アークを防止するため、接点が真空状態にある。
【０００３】
ドイツ特許第１００２４３５６  Ｃ１号明細書はバキュームスイッチを有するガス絶縁スイッチギヤアセンブリを開示しており、このアセンブリでは、バキュームスイッチの形態を成す３つの回路遮断器が、ガス絶縁スイッチギヤアセンブリの絶縁ガスで満たされる容器内に配置される。各バキュームスイッチは、真空領域の形態を成す真空遮断チャンバを備える。真空領域つまりこの真空遮断チャンバ内には固定接点プランジャおよび移動接点プランジャが配置されており、それらのそれぞれの接点ロッドが真空遮断チャンバの真空領域から延出される。この場合、移動接点プランジャの接点ロッドは、ベローズを通じて真空領域または真空遮断チャンバから延出される。真空遮断チャンバの外側で、このプランジャが電源接続マウントに接続され、また、移動接点プランジャの切換ロッドを作動させるために作動装置が設けられる。これらのようなバキュームスイッチの絶縁能力は、スイッチギャップおよび絶縁ギャップの必要とされる絶縁能力を確保しなければならないだけでなく、絶縁ギャップが開状態にあるときに漏れ電流または表面電流が真空遮断チャンバの上側接続部から下側接続部、接続された電源接続マウントへと流れないように確保しなければならない。これを確保するため、接続部同士の間で適切な分離が必要とされ、また、バキュームスイッチを絶縁ガスで満たされる容器内に配置しなければならない。これにより、バキュームスイッチおよび該バキュームスイッチが取り付けられるスイッチギヤアセンブリが物理的に大きくなる。
【０００４】
また、真空状態にあるバキュームスイッチの真空遮断チャンバ内でのアーク消去が電流に伴う磁場の使用を必要とすることも知られている。磁場の影響下で引き起こされるアークの移動は、バキュームスイッチの真空遮断チャンバ内に配置される固定接点および接点プランジャの切換接点部品の平坦な接触面に依存する。公知の切換接点部品は、絶縁ギャップが閉じられるときの外力の影響下で、それらの円形端面が互いに完全に接触する。この接触力は、本質的に、外部装置と関連付けられるスプリングによって加えられる力に起因する。電流に伴う磁場の強度および方向に影響を与えるために、切換接点部品は内部凹所を有しており、これらの内部凹所は、それらの方向に応じて軸方向磁場または垂直方向磁場を引き起こす。接点プランジャの長手方向に移動する切換接点は、接続プロセス中に高速で移動された後に、固定接点の切換接点と衝突し、それにより、駆動システムおよび移動質量に対応する頻度で切換接点を繰り返し打ち付ける。バキュームスイッチの動作時間中、この衝撃は、最初に、真空チャンバから抜け出る移動接点プランジャが挿通される金属ベローズに対して大きな負荷を及ぼす機械的な振動をもたらす。特定の数の切り換え動作の後にはクラックが生じる危険があり、これらのクラックは、後に、真空チャンバ内の真空の破壊をもたらす。しかしながら、繰り返しの打ち付け動作に伴う移動接点プランジャの切換接点の衝撃により、接続プロセス中に、接続アークも繰り返し形成される。これは、平坦な接触面上に材料の過熱を引き起こし、したがって、端部接点に複数の局所的な摩耗スポットをもたらす。切断プロセス中、端部接点上の溶接ポイントは、切断駆動の力によって引き裂かれて開放する。この場合には、その後、端部接点の接触面上に、電場の均一性をかなり低下させるエッジが鋭いスパイクが形成され、したがって、開放された端部接点同士の間に絶縁破壊電圧が形成される危険がある。
【０００５】
必要に応じて絶縁ガスの使用を制限できるようにするため、アウトゴア（ｏｕｔｇｏｅｒ）接点および電力接続マウントを、負荷導体への導電接続部を用いて真空遮断チャンバの真空チャンバ内または真空チャンバ上に配置し且つ可撓の導体を介して真空遮断チャンバ内で移動する接点プランジャに対して導電接続することも知られている。更に、この場合、真空遮断チャンバ内に配置される移動接点プランジャは、絶縁体を介して、真空遮断チャンバから延出する駆動ロッドまたは切換ロッドに対して接続される。この一般的なタイプの１つのそのようなバキュームスイッチがドイツ特許第１９９６４２４９  Ｃ２号明細書から知られている。これらのスイッチは、移動接点プランジャと負荷導体またはアウトゴア接点との間に導電性で可撓な接続を形成する導電接続部が、それが接続プロセス中および切断プロセス中に移動接点プランジャの長手方向軸の移動に追従できるように可撓でなければならないという問題に晒される。この必要とされる可撓性は、バキュームスイッチが適正な寿命を有するように長期間にわたって且つ多数の切換動作にわたって確保されなければならない。ドイツ特許第１９９６４２４９  Ｃ２号明細書は、層の形態を成して上下に位置する複数の薄い銅フィルム箔によって導電接続部が形成されることを開示している。これは、互いに固着し且つ経時的に導電接続部の可撓性を妨げる酸化物層が真空中に形成されるという問題を引き起こす。この問題を解決するため、ドイツ特許第１９９６４２４９  Ｃ２号明細書は、導体金属層と付着防止層との交互の層構造によって導電接続部が形成されるべきこと、あるいは、アークが起こるときに形成されるアーク生成物が可撓性導電接続部で引き起こされ得ないように真空遮断チャンバ内の保護領域に導電接続部が配置されることを提案する。
【０００６】
この実施形態は、導電接続部が内部に保護態様で配置される真空遮断チャンバ内に更なるハウジングを設ける必要があり、それにより、組み立て労力がかなり増大し、あるいは、付着防止層を導電層と交互に設けなければならないという点で複雑な構造の導電接続部が必要になるという欠点を有している。
【発明の概要】
【発明が解決しようとする課題】
【０００７】
本発明は、良好な切換接触面構造を可能にする解決策を生み出すという目的に基づいている。
【課題を解決するための手段】
【０００８】
最初に言及されたタイプのバキュームスイッチの場合、この目的は、固定接点および接点プランジャがそれぞれ、外側切換接触面およびこの外側切換接触面に対して移動できる内側切換接触面を有する切換接点部品を有するという点で本発明にしたがって達成される。本発明の改良および進展が従属請求項で特定される。
【０００９】
本発明は、切換接触面の寿命を向上させ、したがって、これらの表面を有する切換接点部品の寿命を向上させる、バキュームスイッチの切換接点のためのより良い切換接触面構造を生み出す。外側および内側の切換接触面の構造、および、互いに対して移動できるそれらの能力は、絶縁ギャップを形成するために切換接点部品が互いから離れるように移動されるときに、それぞれの切換接点部品の外側切換接触面が、形成され或いは発生する任意のアークがもはやこれらの外側切換接触面上へと飛び越えることができないような程度まで互いに離れるように移動するまで、固定接点および移動接点プランジャの内側切換接触面を互いに導電接続された状態に維持できることを意味する。同様に内側切換接触面同士が互いに更に離れるように移動すると、内側切換接触面間でのみアークが形成される。したがって、内側切換接触面は、それに対応して高い強度を有し且つ摩耗および腐食に耐えるように形成され、その結果として、十分に長い寿命を有するようになっている。一方、外側切換接触面の表面は、それらが定格電流だけを伝えれば済むため、導電性が高くなるように形成される。外側切換接触面に特に適した材料は銅−銀合金であり、また、銅−クロム合金は内側切換接触面に特に適した材料である。
【００１０】
本発明の１つの進展は、内側切換接触面を支持して螺旋状に配置される導電支持ヘッドを備える。この実施形態によれば、比較的大きなアークでさえ拡散アークの形態を成し得る軸方向磁場を形成することができる。
【図面の簡単な説明】
【００１１】
【図１】本発明に係るバキュームスイッチの外観の概略斜視図を示している。
【図２】成形樹脂ハウジングを形成するために外側被覆成形樹脂層を取り付けた後における図１に示されるバキュームスイッチを示している。
【図３】バキュームスイッチの真空遮断チャンバの長手方向断面を示している。
【図４】導電接続部の平面図を示している。
【図５】図４の軸Ａ−Ａに沿う断面の概略図を示している。
【図６】下側から見た導電接続部の斜視図を示している。
【図７】上側から見た導電接続部の概略図を示している。
【図８】接続要素の平面図を示している。
【図９】図８の線Ｂ−Ｂに沿う接続要素の断面を示している。
【図１０】図８および図９に示される接続要素を上側から見た斜視図の形態で示している。
【図１１】固定接点および／または接点プランジャの切換接点部品の斜視図を示している。
【図１２】内側切換接触面から覗き込んだ図１１に示される切換接点部品を示している。
【図１３】内側切換接触面が進入した状態における図１１および図１２に示される切換接点部品の断面の概略図を示している。
【図１４】内側切換接触面が進出した状態における図１３に示される切換接点部品の概略図を示している。
【発明を実施するための形態】
【００１２】
図１は、上側気密セラミックシリンダ２と下側気密セラミックシリンダ３とを備えるバキュームスイッチの真空遮断チャンバ１の斜視図を示している。上側セラミックシリンダ２は接続カバー４によって閉じられる。上側セラミックシリンダ２と下側セラミックシリンダ３との間にはコンタクトリング５が形成される。コンタクトリング５はアウトゴア接点６を有しており、これらのアウトゴア接点を介して、導体８のリング７が負荷導体９に対して導電接続される。金属から構成されるベローズ１０を用いて駆動ロッドまたは切換ロッド１１が真空気密態様で真空遮断チャンバ１の内部へと導入される。このようにして、真空遮断チャンバ１の内部領域は、１０−７〜１０−９トールまたは１０−７〜１０−９ミリバールの高い真空度が作られる真空チャンバ１２を形成する。図２から分かるように、外側では、バキュームスイッチの完全に組み立てられた真空遮断チャンバ１が成形樹脂ジャケット１３または成形樹脂ハウジングによって取り囲まれる。
【００１３】
図３は、真空遮断チャンバ１の真空チャンバ１２の概略断面図を示している。この場合、切換接点部品１４ａ，１４ｂが閉位置にある。すなわち、あまり詳しく示されていない製造ライン導体１５から、固定接点１６および移動接点プランジャ１７並びに導体８およびアウトゴア接点６と、真空チャンバ１２とを介して、負荷導体９へと至る導電接続を伴っている。この位置では、絶縁ギャップが形成されない。セラミック絶縁体１８を介して結合される駆動ロッドまたは切換ロッド１１を用いて移動接点プランジャ１７を矢印１９の方向に移動させることにより、切換接点部品１４ａ，１４ｂを、これらの間にギャップが形成されるように移動させて互いに離間させることができ、それにより、絶縁ギャップが形成される。
【００１４】
図示のバキュームスイッチは、中電圧用および高電圧用のバキュームスイッチである。この場合、下側切換接点部品１４ｂと、この接点部品に配置されて固定される接点プランジャ１７と、このプランジャに配置されて固定される絶縁体１８と、駆動ロッドまたは切換ロッド１１とを備える移動切換ユニットが真空遮断チャンバ１内に形成される。この移動切換ユニットには、アウトゴア接点６の高さ、または、コンタクトリング５の高さ、または、接点プランジャ１７上の電力接続マウントの高さに、導体８へ至る可撓性導電接続部２０、または、導体８を形成するための可撓性導電接続部２０が配置される。負荷導体９への電流の流れはこの導電接続部２０によって与えられ、それにより、これを介してアウトゴア接点６のうちの少なくとも１つに対する導電接続が存在する。
【００１５】
導体８は、コンタクトリング５の内側の所定位置に配置されるリング７を備える。また、導体８はプランジャリング２１を備えており、このプランジャリングの内面は、接点プランジャ１７の外周の好ましくは所定の位置に配置される。プランジャリング２１およびリング７は、多数の接続要素２２を介して互いに接続される。
【００１６】
図８は単一の接続要素２２の平面図を示しており、接続要素２２は、外側リング２３と、内側リング２４と、外側リング２３と内側リング２４とを互いに接続する４つの支持要素２５とを備える。この場合、外側リング２３、内側リング２４、および、支持要素２５は、膜またはプレートレットのような導電材料から構成される。図９および図１０から分かるように、支持要素２５は、外側リング２３から内側リング２４へ向けて立ち上がる被覆要素２６を形成し、それにより、被覆要素は、外側リング２３の内側領域を、内側リング２４を含めて、一方側から正反対の側まで円弧状に覆う。
【００１７】
接点プランジャ１７の長手方向軸２７の方向で見る上側からの平面図を示す図４の平面図から分かるように、多数の接続要素２２，２２’，２２’’，２２’’’は、プランジャリング２１とリング７との間でクランプされて、軸２７の方向で互いに上下に配置されている。この場合、いずれの場合にも上下に位置される接続要素２２，２２’，２２’’，２２’’’はそれぞれ、軸２７を中心とする回転方向で互いに対して１０〜１５度にわたってオフセットされて配置され、その結果として、これらの接続要素２２の全ては、それらのそれぞれの被覆要素２６，２６’または支持要素２５，２５’により、リング７とプランジャリング２１との間に形成される環状面の領域を全体的に覆う。しかしながら、その結果、このことは、真空チャンバ１２または真空遮断チャンバ１の自由内側環状断面積全体が接続要素２２の被覆要素２６によってその面積全体にわたって覆われることも意味する。被覆要素はそれぞれが１０〜１５°にわたってオフセットされて上下に層状に位置されるため、これらはそれぞれがそれらの支持要素２５のサブ領域によって覆われる。したがって、接続要素２２は、導電接続部２０の可撓部分を形成するとともに、リング７およびプランジャ２１と共に導体８を全体として形成する。図５から分かるように、接続要素２２は、それらの外側リング２３がそれぞれリング７内の所定位置に配置され、また、それらの内側リング２４がそれぞれプランジャリング２１内の所定位置に配置されている。この場合、上下に配置されるそれぞれの個々の接続要素２２間にはギャップが長手軸方向に形成され、それにより、接続要素２２の被覆要素２６および支持要素２５にわたってずっとエアー接続またはガス−領域接続が存在し、一方、これらの接続要素２２は、図４に示される平面図で見ることができないカバーを形成する。組み立てられた状態で、これは、この段階で、図３に示されるように、切換接点部品１４ａ，１４ｂの閉位置に対応する、図６から分かるように下面が凹形状を成し且つ図７から分かるように上面が凸形状を成す接続要素２２の位置決めをもたらす。被覆要素２６および支持要素２５は、それらが閉じられた切り換え位置から開かれた切断位置へのおよび元の位置への個々の切り換えプロセス中に接点プランジャ１７の動きに追従するべく可撓となるように形成される。
【００１８】
固定接点１６に強固に接続される上側切換接点部品１４ａ、および、移動接点プランジャ１７に強固に接続される下側切換接点部品１４ｂはそれぞれ同一となるように形成されており、その結果として、以下の本文の記述では、図１１〜１４に示される下側切換接点部品１４ｂだけについて説明する。各切換接点部品１４ａ，１４ｂは、２つに分けられ且つ環状外側切換接触面２９と環状内側切換接触面３０とを備える接触切換面２８を有する。外側切換接触面２９は、それぞれの切換接点部品１４ａ，１４ｂのマウント本体３１上の所定位置に配置され、また、内側切換接触面３０は、それを外側切換接触面２９に対して移動させることができるように支持ヘッド３２上に配置される。また、スプリング３３の力によって移動接点プランジャ１７の軸２７の方向に移動できる内側スタンプまたは内側プランジャ３４が内側切換接触面３０の内側に作用する。スプリング３３の一端は、ベース本体またはマウント本体３１のベース面３６上に配置され、スプリングの他端は、内側プランジャ３４のストッパリング３５に当接している。内側切換接触面３０が図１３に示されるように進入位置にある場合、上側切換接点部品１４ａおよび下側切換接点部品１４ｂの切換接触面２９，３０が１つの領域上にわたって互いに当接し、それにより、平坦な接触切換面２８を形成する。この位置では、スプリング３３がストッパリング３５によってそれらの圧縮位置へと移動されている。移動接点プランジャ１７が絶縁ギャップを形成するための位置へと移動されると直ぐに、上側および下側切換接点部品１４ａ，１４ｂの外側切換接触面２９が互いに離れるように移動される。しかしながら、まず第一に、このときに解放されるべきスプリング３３の駆動力が図１４に示されるように内側切換接触面３０の進出位置へとプランジャ３４を移動させるのに十分である限り、上側および下側切換接点部品１４ａ，１４ｂの内側切換接触面３０が依然として１つの領域上にわたって互いに当接したままである。そして、接点プランジャ１７が固定接点１６から更に離れるように移動すると、上側および下側切換接点部品１４ａ，１４ｂの内側切換接触面３０同士も互いに離れるように移動し、その結果として、絶縁ギャップが形成される。接点プランジャ１７が固定接点１６へ向かって移動している反対の状況では、まず第一に、内側切換接触面３０同士が１つの領域上にわたって互いに接触し、図１３に示される内側切換接触面の進入位置、したがって、図３に示される切換接点部品１４ａ，１４ｂの接触位置に達するまで、内側切換接触面３０がスプリング３３の力に抗して外側切換接触面２９に対して移動される。
【００１９】
外側切換接触面２９は、環形状を成し且つ導電性が高い材料から形成される。この材料は、いずれの場合にもバキュームスイッチによって運ばれなければならない定格電流を非常に低い抵抗をもって伝送するのに適している。一方、内側切換接触面３０は、ディスクの形態を成し且つ高い強度を有するとともに特に腐食および摩耗に耐性がある材料から構成され、このようにして、短い時間にわたって生じるアーク電流に耐えてこれを消去できる。下側に配置されるスプリング３３は、短絡電流を運ぶことができる材料、例えば銅−タングステン合金から構成される。特に、外側切換接触面２９の材料は、無酸素であり、例えば銅−銀合金から構成される。一例として、内側切換接触面３０の材料は銅−クロム合金から構成される。
【００２０】
切断中、すなわち、固定接点１６および接点プランジャ１７が互いに離れるように移動されるときには、まず第一に、駆動ロッドまたは切換ロッド１１に作用する駆動機構によって外側切換接触面２９同士が互いに離れるように移動され、一方、スプリング３３によって内側プランジャ３４に対して及ぼされる圧力の結果として最初は揃っている接触切換面２８から内側切換接触面３０が移動され、このプロセス中に、結果として生じる短絡電流を内側切換接触面３０が運ぶ。このプロセス中、内側切換接触面３０の外側への動きは、打ち突けられ／生じるアークが外側切換接触面２９の円形リングの上へと飛び越えるのを防止するような十分な距離が外側切換接触面２９同士の間に形成されるまで内側切換接触面同士が互いに接触したままとなるように適合される。固定接点１６および接点プランジャ１７が互いに更に離れるように移動すると、内側切換接触面３０も切断され、その結果として、それに伴うアークが、これらの接触面間でのみ保持されるとともに、適切な分離に達した後に消去される。
【００２１】
また、内側切換接触面３０は、内側切換接触面３０を支持するための接点の螺旋配置の構成要素である支持ヘッド３２上に載置する。これにより、軸方向磁場を形成することができ、この軸方向磁場によって、比較的大きい強力なアークであっても拡散アークにすることができる。この場合では、内側プランジャ３４がクモの巣状セグメント３７の形態を備え、このクモの巣状セグメント上に支持ヘッド３２が螺旋のように互いに対して位置合わせされて配置される。この場合、支持ヘッド３２は導電性を有するように形成されて接続される。
【００２２】
図１２，１３，１４の例図は、単なる概略図であり、それに対応して、スプリング３３および支持ヘッド３２の機能、並びに、螺旋接点としての、すなわち、螺旋形状に配置された接点としての支持ヘッドの配置および形態に関して簡略化されている。
【００２３】
絶縁体１８は、セラミック材料から構成される絶縁体である。真空遮断チャンバ１の被覆体は、シリコーン材料またはシリコーン成形樹脂から構成される成形樹脂ジャケットまたは成形樹脂ハウジングを備えることが好ましい。
【００２４】
全体として、幅広く異なる手段の組み合わせが、真空遮断チャンバの寿命およびライフサイクルを増大させるとともに、真空チャンバ１２および真空遮断チャンバ１の絶縁能力を全体的に高め、それにより、全体的にコンパクトな物理的形態を有する真空遮断チャンバ１、したがって、バキュームスイッチをもたらす。この場合、完全を期すために、ここで再び言及するが、上側セラミックシリンダ２および下側セラミックシリンダ３は気密セラミック材料から構成されるものである。これは、さもなければ、真空チャンバ１２で真空を維持できなくなるからである。
【００２５】
本発明に係るバキュームスイッチにとって必要ない場合であってもなお、優れた絶縁特性のために、必要に応じて、バキュームスイッチを絶縁ガスで満たされるスイッチギヤ・アセンブリハウジング内に配置することができる。
【図１】
2010503161.tif 000003
【図２】
2010503161.tif 000004
【図３】
2010503161.tif 000005
【図４】
2010503161.tif 000006
【図５】
2010503161.tif 000007
【図６】
2010503161.tif 000008
【図７】
2010503161.tif 000009
【図８】
2010503161.tif 000010
【図９】
2010503161.tif 000011
【図１０】
2010503161.tif 000012
【図１１】
2010503161.tif 000013
【図１２】
2010503161.tif 000014
【図１３】
2010503161.tif 000015
【図１４】
2010503161.tif 000016
【国際調査報告】
2010503161.tif 000017
2010503161.tif 000018
2010503161.tif 000019
2010503161.tif 000020